(57)【要約】【課題】表示装置を簡単に装着可能な二線式配線ダクトを提供する。【解決手段】二本の電力線１１に接続された監視制御装置３、及び二本のプラグ２３を有する表示装置２を備えて、二本のプラグ２３の一方が二本の電力線１１の一方に接触し、かつ他方のプラグ２３が他方の電力線１１に接触することにより監視制御装置３と表示装置２との間で送受電通信を行うシステムに用いられる、二本の電力線１１が収容される二線式配線ダクト１である。この二線式配線ダクト１は、電力線１１が一本ずつ埋められた二本の溝部１０が設けられた筐体１ａを備え、電力線１１は断面略Ｕ字型に形成されて、溝部１０の開口部分にＵ字型の開口端が向かうように埋められている。二本の溝部１０の一方に二本のプラグ２３の一方が挿入され、かつ他方の溝部１０に他方のプラグ２３が挿入され、各溝部１０内部の電力線１１が、挿入されたプラグ２３を挟み込む。【選択図】    図４
2005012865.tif 000002
【特許請求の範囲】
【請求項１】
二本の電力線に電気的に接続された送電側装置、及び各々が二本のプラグを有する複数の受電側装置を備えて、前記二本のプラグの一方が前記二本の電力線の一方に接触し、かつ前記二本のプラグの他方が前記二本の電力線の他方に接触することにより前記送電側装置と当該受電側装置との間で送受電通信を行うシステムに用いられる、前記二本の電力線が収容される二線式配線ダクトであって、
前記電力線が一本ずつ埋められた二本の溝部が、所定の間隔を空けて設けられた筐体を備え、
前記電力線は断面略Ｕ字型に形成されて、前記溝部の開口部分にＵ字型の開口端が向かうように当該溝部に埋められており、
前記二本の溝部の一方に前記二本のプラグの一方が挿入され、かつ前記二本の溝部の他方に前記二本のプラグの他方が挿入されて、各溝部内部の前記電力線が挿入されたプラグを挟み込み、前記受電側装置が前記筐体に装着されるように構成されている、
二線式配線ダクト。
【請求項２】
前記二本の電力線は、それぞれ自身が埋められる溝部の深さに応じた配線幅で形成可能であり、
前記二本の溝部は、それぞれ自身に埋められる電力線の通電量に応じた深さで形成される、
請求項１記載の二線式配線ダクト。
【請求項３】
前記二本の溝部の各々に、前記プラグが挿入されるときに開状態になり、前記プラグが挿入されないときに閉状態になって前記電力線を外部から隠す開閉機構が設けられている、
請求項１記載の二線式配線ダクト。
【請求項４】
前記開閉機構は、軟質材により形成されて、前記プラグが挿入されないときに前記溝部の開口部分を覆うように配置されており、前記プラグが挿入されるときには押し広げられるように構成されている、
請求項３記載の二線式配線ダクト。
【請求項５】
前記受電側装置に、把持されたときにその押圧方向に可撓性があり、前記押圧方向とは逆方向に突起した突起部を有する係合機構が形成されているものにおいて、
前記筐体には、前記溝部が設けられる面の縁部に、断面鉤型の突出部を有する係止機構が設けられており、
前記受電側装置が把持されて撓んだ前記係合機構の前記突起部が前記係止機構に導かれ、撓みをもどしたときに前記突起部が前記突出部に係止されるように構成されている、
請求項１記載の二線式配線ダクト。
【発明の詳細な説明】
【０００１】
【発明の属する技術分野】
本発明は、送電側装置との間で二本の電力線を通じて送受電通信を行う複数の受電側装置を、着脱自在に装着するための二線式配線ダクトに関する。
【０００２】
【従来の技術】
二本の電力線を用いて送受電通信（送受電とデータ通信とを同時に行う手法）を行う二線式送受電通信システムが知られている（特許第２７８７９７６号）。このシステムは、１つの送電側装置と複数の受電側装置とを二本の電力線で接続し、送電側装置から情報成分を含む電力を送電している間は受電側装置で蓄電及びデータ解読を行い、送電側装置による送電の停止を契機に受電側装置が蓄電電力をもとに送電側装置宛の情報成分を含む電力を送電する。これにより、少ない配線量で１対ｎの送受電通信を可能にしている。
【０００３】
二線式送受電通信システムにおいて二本の電力線は、通常、所定の間隔を空けて配線ダクト（以下、「二線式配線ダクト」という）内に設けられている。二線式送受電通信システムの実際の応用場面では、受電側装置の数が２０〜３０、あるいはそれ以上になる場合がある。
受電側装置の数が増えると、その取り付け作業に要する時間が多大になる。そのために、二線式配線ダクトに簡単に受電側装置を取り付けることができるような工夫がなされてきた。
また、受電側装置が増えると送電する電力量が大きくなる。そのために、従来から、二線式配線ダクト内で電力線の配線幅をできるだけ大きく取るような工夫がなされている。
【０００４】
例えば、特開２００２−２７６３３公報に記載される二線式配線ダクトが提案されている。この二線式配線ダクトでは、二線式配線ダクトを底面及び２つの側面から成る断面略コ字状に形成し、受電側装置が係止される係止部を、２つの側面に設けるように構成している。受電側装置には係合部が形成されており、この係合部を二線式配線ダクトの係止部に係止させることで、受電側装置が二線式配線ダクトに装着される。また、係止部を側面に設けることで、底面が電力線を配線するためだけの面として使用できるようになり、二本の電力線の配線幅を、大きくすることができる。
【０００５】
【発明が解決しようとする課題】
上記のような二線式配線ダクトでは、受電側装置の係合部を係止させる際に比較的強い力をかける必要がある。そのために、係止部或いは係合部が破損する恐れがある。また、電力線の配線幅が二線式配線ダクトの底面の大きさにより制限される。つまり、二線式配線ダクトの底面の大きさ以上に電力線を大きくすることはできない。
さらに、受電側装置が装着されていないときは、電力線が剥き出しになるために、電力線に汚れが付着することがある。電力線に汚れが付着すると、受電側装置を装着したときに接触不良などが起こりやすくなり、正常な送受電通信が行えなくなることもある。
【０００６】
本発明の課題は、上記の問題に鑑み、受電側装置が簡単に装着可能な二線式配線ダクトを提供することにある。
本発明の他の課題は、電力線が配置される面の大きさにかかわらず電力線の配線幅を大きくすることができる二線式配線ダクトを提供することにある。
本発明の他の課題は、電力線に汚れが付着しにくい二線式配線ダクトを提供することにある。
【０００７】
【課題を解決するための手段】
上記課題を解決する本発明の二線式配線ダクトは、二本の電力線に電気的に接続された送電側装置、及び各々が二本のプラグを有する複数の受電側装置を備えて、前記二本のプラグの一方が前記二本の電力線の一方に接触し、かつ前記二本のプラグの他方が前記二本の電力線の他方に接触することにより前記送電側装置と当該受電側装置との間で送受電通信を行うシステムに用いられる、前記二本の電力線が収容される二線式配線ダクトであって、前記電力線が一本ずつ埋められた二本の溝部が、所定の間隔を空けて設けられた筐体を備え、前記電力線は断面略Ｕ字型に形成されて、前記溝部の開口部分にＵ字型の開口端が向かうように当該溝部に埋められており、前記二本の溝部の一方に前記二本のプラグの一方が挿入され、かつ前記二本の溝部の他方に前記二本のプラグの他方が挿入されて、各溝部内部の前記電力線が挿入されたプラグを挟み込み、前記受電側装置が前記筐体に装着されるように構成されている。
【０００８】
本発明の二線式配線ダクトでは、受電側装置のプラグを二線式配線ダクトの溝部に挿入するだけで受電側装置の装着ができるので、受電側装置の着脱を簡単に行うことができる。
【０００９】
このような二線式配線ダクトでは、例えば、前記二本の電力線が、それぞれ自身が埋められる溝部の深さに応じた配線幅で形成可能であり、前記二本の溝部が、それぞれ自身に埋められる電力線の通電量に応じた深さで形成される。
電力線は溝部の内部に設けられるので、電力線の配線幅は溝部の深さで制限されることになる。そのために、従来のように、二線式配線ダクトの底面の大きさで電力線の最大の配線幅が決まることはない。
【００１０】
前記二本の溝部の各々に、前記プラグが挿入されるときに開状態になり、前記プラグが挿入されないときに閉状態になって前記電力線を外部から隠す開閉機構を設けるようにしてもよい。例えばシャッタのような構成で開状態、閉状態を実現するようにしてもよい。しかし簡単な構成の方が使い勝手、コスト面で非常に有利になる。
簡単な構成の前記開閉機構は、例えば軟質材により形成される。軟質材を用いた開閉機構は、前記プラグが挿入されないときには前記溝部の開口部分を覆うように配置され、前記プラグが挿入されるときには押し広げられるようになっている。
【００１１】
電力線でプラグを挟み込むようにした上記のような二線式配線ダクトで、更に強固に受電側装置を装着するために、以下の構成を備えるようにしてもよい。この構成は、例えば、前記受電側装置に、把持されたときにその押圧方向に可撓性があり、前記押圧方向とは逆方向に突起した突起部を有する係合機構が形成されているものにおいて、前記筐体には、前記溝部が設けられる面の縁部に、断面鉤型の突出部を有する係止機構が設けられており、前記受電側装置が把持されて撓んだ前記係合機構の前記突起部が前記係止機構に導かれ、撓みをもどしたときに前記突起部が前記突出部に係止されるように構成されている。
【００１２】
【発明の実施の形態】
以下、本発明の二線式配線ダクトの実施形態を説明する。ここでは、商品陳列棚に配される商品の管理を遠隔的に行う遠隔制御システムの配線に適用した場合の例を挙げる。
【００１３】
図１は、本発明の二線式配線ダクトが適用される遠隔制御システムの全体構成図である。この遠隔制御システムは、二線式配線ダクト１を介して、受電側装置の一例となる複数の表示装置２と送電側装置の一例となる監視制御装置３との間で送受電通信を行えるように構成されている。監視制御装置３には、商品データの管理を行うコントローラＣＯＮが接続されている。
【００１４】
二線式配線ダクト１は、長尺筐体１ａを有しており、表示装置２が装着される面に、長手方向に二本の溝部１０がほぼ平行に設けられている。これらの溝部１０内にそれぞれ一本ずつ電力線が配されている。二線式配線ダクト１は、商品陳列棚上の所定部位に１又は複数設けられる。
【００１５】
表示装置２は、内部に電子回路を有しており、監視制御装置３との間で二線式配線ダクト１を介して送受電通信を行ってこの電子回路を動作させ、照光式押しボタンスイッチ２０内の発光体及び表示部２１の制御を行う。表示装置２には、装着時に二線式配線ダクト１に向かう面にプラグが二本用意されており、表示装置２が二線式配線ダクト１に装着されたときに、二本のプラグがそれぞれ溝部１０に挿入されて電力線１１と接触し、電子回路と二本の電力線１１とが導通するようになっている。
図１では、表示装置２として  照光式押しボタンスイッチ２０のみのタイプと、照光式押しボタンスイッチ２０に２桁分の数値表示ができる表示部２１が付いたタイプのものを例示しているが、これらはいずれか一方を備えていればよく、また、他の同種の表示装置であっても構わない。また、数値表示は２桁に限らない。
【００１６】
監視制御装置３から表示装置２へ送られる送受電通信の内容は、主として電源電圧の供給と制御データであるコマンド及び関連データである。一方、表示装置２から監視制御装置３へ送られる送受電通信は、コマンドの実行結果、自装置の状態を表す状態情報等である。
各表示装置２にはアドレスが割り当てられており、このアドレスにより送受電通信の際に表示装置２を識別している。監視制御装置３における通信プロトコルは、すべての表示装置２との間で共通となる。
【００１７】
＜二線式配線ダクト１の構造＞
二線式配線ダクト１について詳細に説明する。図２は、二線式配線ダクト１の構造を示した図である。
二線式配線ダクト１に設けられている溝部１０は、その開口部分を開閉するための開閉機構１２により、通常、閉じた状態になっている。開閉機構１２は、例えばゴム系の軟質材により形成されており、表示装置２を装着する際に、表示装置２のプラグにより押し広げられて開くようになっている。
【００１８】
溝部１０の内部に配されている電力線１１は、断面略Ｕ字型の導電部材、例えばバネ用リン青銅でできており、Ｕ字の開口部分が溝部１０の開口部側を向くようにして溝部１０に埋められている。二本の電力線１１の一方には、ＤＣ電源電圧（＋１２Ｖ又は＋２４Ｖ）と制御データが、他方にはＤＣ電源電圧（０Ｖ）と他の制御データが、それぞれ監視制御装置３から供給される。電力線１１は、溝部１０に埋められているために、表示装置２を装着していないときには、開閉機構１２により外部に露出しないようになっている。
【００１９】
このような電力線１１の構成により、電力線１１の配線幅は溝部１０の深さにより決まるようになる。つまり、溝部１０を深く形成するほど電力線１１の配線幅を大きく取ることができるようになる。
溝部１０の深さは、例えば電力線１１の通電量に応じて決められる。例えば、埋められる電力線１１の通電量が大きいときは、電力線１１の配線幅を大きくする必要があるので、溝部１０が深く形成され、通電量が小さいときには溝部１０が浅く形成される。
【００２０】
また、二線式配線ダクト１には、表示装置２を装着するための係止部１３が設けられる。係止部１３は、二線式配線ダクト１の溝部１０が形成される面と同じ面の縁部に、溝部１０とほぼ平行に設けられ、この面に対して凹んでおり、その開口部分が縁部から中心線方向に突出するようになっている。つまり、係止部１３は、溝部１０が形成される面に、突出部分が溝部１０側に向くような断面鉤型に形成される。
このような二線式配線ダクト１は、例えば、硬質塩化ビニールで形成することができる。電力線１１及び開閉機構１２以外の部分を、押し出し成型により製造しておき、成型後に溝部１０に電力線１１を埋めて、開閉機構１２を取り付けるようにする。これにより、二線式配線ダクト１の製造コストを抑えることができる。また、二線式配線ダクト１の溝部１０が形成される面の反対の面（以降、「裏面」という）１４には接着材が塗布される。これにより二線式配線ダクト１が商品陳列棚上に接着される。
【００２１】
＜表示装置２の構造＞
表示装置２について詳細に説明する。図３は、表示装置２の構造を示した図である。この表示装置２は、照光式押しボタンスイッチ２０のみのタイプであるが、照光式押しボタンスイッチ２０に表示部２１が付いたタイプも、表示部２１部分の駆動回路が追加になるだけであり、その構造がほぼ同じである。そのために、表示部２１がついたタイプの表示装置２についての説明は省略する。
【００２２】
表示装置２は、照光式押しボタンスイッチ２０と、スイッチ２０を制御するための電子回路２ａを内蔵する本体２２と、電子回路２ａに対して二線式配線ダクト１の電力線１１から電力を供給するためのプラグ２３と、表示装置２を二線式配線ダクト１に装着するための係合部２４とを備える。
【００２３】
照光式押しボタンスイッチ２０は、例えばホールＩＣを使用した非接触スイッチである。照光式押しボタンスイッチ２０は、照光用の発光体としてＬＥＤ（Ｌｉｇｈｔ−Ｅｍｉｔｔｉｎｇ  Ｄｉｏｄｅ）を用いており、この発光体を覆い、またスイッチのボタンとなる、半透明でドーム型のキャップを備えている。キャップは、ポリカーボネート製であり射出成形される。発光体にＬＥＤを用いることにより、省電力、長寿命が図られる。ＬＥＤの発光色とキャップの色を変更することにより、表示装置２の発光色を変更することができる。また、赤色、青色、黄色のＬＥＤが１チップになったフルカラーＬＥＤにより、多種色を発色可能になる。
【００２４】
本体２２は、略直方体形状であり、ＡＢＳ（Ａｃｒｙｌｏｎｉｔｒｉｌｅ  Ｂｕｔａｄｉｅｎｅ  Ｓｔｙｒｅｎｅ  ｐｏｌｙｍｅｒ）などの難燃性の樹脂により射出成形される。本体２２に内蔵される電子回路２ａは、電力線１１から供給されたＤＣ電源電圧及び制御データにより、発光体の発光を制御する。
【００２５】
プラグ２３は、導電体であり、電力線１１との接触部分には金メッキが施されている。プラグ２３は本体２２に２本設けられており、この部分が二線式配線ダクト１の溝部１０に差し込まれて溝部１０内部の電力線１１に接触するようになっている。
【００２６】
係合部２４は、基端部が本体２２に接続され、先端部が二線式配線ダクト１の係止部１３に係止されるようになっている。係合部２４は、基端部のみが本体２２に接続され、他の部分は本体２２に対して所定の間隔を空けて設けられている。そのために、表示装置２が把持されて二つの係合部２４に押圧力がかかると、その押圧方向に係合部２４が撓み、係止部１３に係合させやすくなる。係合部２４は、先端が外側に突起しており、この部分が二線式配線ダクト１の係止部１３の突出部分に係止されるようになっている。
表示装置２を把持することにより係合部２４を撓ませて、表示装置２を係止部１３まで導き、その後、係合部２４の撓みをもどしたときに、係合部２４の突起部分が係止部１３の突出部分に係止されることになる。
【００２７】
＜二線式配線ダクト１に表示装置２を装着したときの構造＞
図４は、二線式配線ダクト１に表示装置２を装着したときの構造図である。図５は、二線式配線ダクト１に３つの表示装置２を装着したときの斜視図である。二線式配線ダクト１に表示装置２が装着されると、表示装置２の二本のプラグ２３が、二線式配線ダクト１の溝部１０にそれぞれ挿入されて、溝部１０内部で電力線１１に接触する。これにより、電源電圧及び制御データが電力線１１からプラグ２３を介して本体２２内部の電子回路２ａに供給される。また、電力線１１は断面略Ｕ字型をしているためにプラグ２３を挟み込むことができ、これだけでも、表示装置２は二線式配線ダクト１に固定される。
【００２８】
表示装置２の係合部２４は、二線式配線ダクト１の係止部１３の突出部分に係合されている。これにより、表示装置２の二線式配線ダクト１への装着がより強固になる。
【００２９】
二線式配線ダクト１の溝部１０は、二線式配線ダクト１の長手方向に直線上に設けられている。プラグ２３はこの直線上であればどこにでも挿入できるので、表示装置２は直線上の何処にでも装着ができる。また、表示装置２を二線式配線ダクト１に装着したまま、溝部１０上を移動させることもできるので、表示装置２に電源電圧及び制御データを供給した状態のまま、表示装置２の移動が可能になる。
【００３０】
＜表示装置２内蔵の電子回路＞
図６は、表示装置２に内蔵される電子回路２ａの回路構成を示す回路図である。電子回路２ａは、送受電通信ユニット２５、データ処理ユニット２６、及び表示制御ユニット２７を備える。これらの各ユニットは、例えば１チップ化されたＩＣ（Ｉｎｔｅｇｒａｔｅｄ  Ｃｉｒｃｕｉｔ）として表示装置２の内部に搭載される。
【００３１】
送受電通信ユニット２５は、電力線１１から受電した電源電圧及び制御データから必要な直流電圧及びデータを抽出する。直流電圧は、表示装置２内に設けられた蓄電器に蓄電する。データは、これを処理して処理結果に応じてスイッチ２０の発光体を発光させたり、或いは、処理結果を電力線１１を介して監視制御装置３へ送信する。
【００３２】
データ処理ユニット２６は、送受電通信ユニット２５により抽出されたデータを用いてデータ処理を行う。データ処理結果は、送受電通信ユニット２５を介して電力線１１を通り、監視制御装置３へ送信されたり、或いは、表示制御ユニット２７に送られて、スイッチ２０、表示部２１の制御に用いられる。また、データ処理ユニット２６は、図外の外部入力装置から入力されたデータを用いてデータ処理を行う。このデータ処理結果も、監視制御装置３へ送信されたり、或いはスイッチ２０、表示部２１の制御に用いることができる。
【００３３】
表示制御ユニット２７は、スイッチ２０の発光体の点灯、消灯を、送受電通信ユニット２５又はデータ処理ユニット２６の制御により行う。スイッチ２０の発光体の点灯は、蓄電器に蓄電された蓄電電力により行われる。表示装置２に表示部２１が設けられている場合には、この表示部２１も蓄電器の蓄電電力により点灯される。
【００３４】
＜監視制御装置３の回路構成＞
監視制御装置３は、図７に示されるように、直流電圧を出力する電源３１と、この直流電圧と電力線１１との導通を規制するスイッチ群３２と、これらのスイッチ群３２の開閉制御を行う電力制御部３３と、表示装置２の指定アドレス及び該表示装置２宛の指示データを含むパルス群データを生成するとともに所要のデータ処理を行うデータ処理部３４と、電力線１１の電力レベルを論理情報に変換してこれをデータ処理部３４に導くとともにデータ処理部３４で生成されたパルス群データを電力線１１に導く送受信バッファ３５とを少なくとも備えている。
データ処理部３４は、図示しない外部入出力端子を介して外部機器類との情報転送をも行う。スイッチ群３２と電力制御部３３とで送電側の電力制御手段を構成している。なお、図示を省略しているが、表示装置２からｎビットのデータ入力、表示装置２宛のｍビットのデータ出力を可能にするための入出力ポートを有している。
【００３５】
以上のような構成の遠隔制御システムにより、監視制御装置３による制御で、表示装置２の照光式押しボタンスイッチ２０及び表示部２１の表示制御がなされる。このとき監視制御装置３からは、電源電圧及び制御データを含んだ電力が二線式配線ダクト１に設けられた電力線１１を通って供給される。
表示装置２のプラグ２３が電力線１１に接触することにより、表示装置２に電力が供給される。電力線１１は、二線式配線ダクト１に設けられた溝部１０に埋め込まれるために、配線幅の最大値が溝部１０の深さによってのみ決まる。また、溝部１０は、プラグ２３が接触していないとき、すなわちプラグ２３が溝部１０に挿入されていないときには、外部から電力線１１を隠すように構成されている。そのために、電力線１１の汚れを防止することができる。
【００３６】
二線式配線ダクト１は、商品陳列棚の所定の位置に設置される。二線式配線ダクト１が設置される面は、平面であることもあれば、曲面であることもある。そのために二線式配線ダクト１の裏面１４は、設置される面の形状に合わせて形成する。設置される面が曲面の場合には、その曲面に合わせた形状に裏面１４を形成する。
【００３７】
【発明の効果】
以上の説明から明らかなように、本発明によれば、電力線の配線幅をダクトの底面の大きさに関係なく設定することができる。また、電力線への汚れの付着を防止できる。
【図面の簡単な説明】
【図１】本発明の二線式配線ダクトが適用される遠隔制御システムの全体構成図。
【図２】二線式配線ダクトの構造図。
【図３】表示装置の構造図。
【図４】表示装置を二線式配線ダクトに装着したときの構造図。
【図５】表示装置を二線式配線ダクトに装着したときの斜視図。
【図６】表示装置に内蔵される電子回路の回路図。
【図７】監視制御装置の内部回路図。
【符号の説明】
１  二線式配線ダクト
１ａ  長尺筐体
１０  溝部
１１  電力線
１２  開閉機構
１３  係止部
１４  裏面
２  表示装置
２ａ  電子回路
２０  照光式押しボタンスイッチ
２１  表示部
２２  本体
２３  プラグ
２４  係合部
２５  送受電通信ユニット
２６  データ処理ユニット
２７  表示制御ユニット
３  監視制御装置
３１  電源
３２  スイッチ群
３３  電力制御部
３４  データ処理部
３５  送受信バッファ
ＣＯＮ  コントローラ
【図１】
2005012865.tif 000003
【図２】
2005012865.tif 000004
【図３】
2005012865.tif 000005
【図４】
2005012865.tif 000006
【図５】
2005012865.tif 000007
【図６】
2005012865.tif 000008
【図７】
2005012865.tif 000009